(57)【要約】音声入力された所望の場所を、車両のナビゲーション・デバイスにより利用可能な目的地位置に変換するシステムは、基地局及び音声ポータル・サーバ（１０４）と通信する、好ましくは携帯電話である移動通信器（１０）を含む。音声ポータル・サーバ（１０４）は、音声認識アルゴリズムにより、車両の乗員が音声入力した所望の場所に対応する目的地位置を識別する。音声ポータル・サーバは、インターネットにアクセスして追加の情報を得てもよい。音声ポータル・サーバは、所望の場所の可能性のある候補を一つの目的地位置に絞り込むために質問に応答するよう乗員に要求し得る。目的地位置は、好ましくはＤＴＭＦ（二重トーン多周波）フォーマットであるエンコードされたフォーマットで、音声ポータル・サーバから基地局及び移動通信器を介してデコーダ（１０２）に送信される。デコーダは目的地位置をデコードし、当該目的地位置をナビゲーション・デバイスに送信する。ナビゲーション・デバイスは、現在位置から目的地位置までの選択された経路を決定する。当該システムの利用方法が提示される。当該システムを用いた車両内装置もまた提示される。
2005505760.tif 000002
【特許請求の範囲】
【請求項１】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバと、
を備えるナビゲーション・システム。
【請求項２】
請求項１記載のシステムであって、前記音声ポータル・サーバが前記車両の外部にあるシステム。
【請求項３】
請求項１記載のシステムであって、前記音声ポータル・サーバが前記ナビゲーション・デバイスに目的地位置を提供可能であり、前記目的地位置が要求された場所に対応し、前記の要求された場所が、前記車両の乗員により、前記移動通信器を介して前記音声ポータル・サーバに伝達され得るシステム。
【請求項４】
請求項３記載のシステムであって、
前記ナビゲーション・デバイスが前記音声ポータル・サーバに現在位置を提供可能であり、
前記音声ポータル・サーバが前記現在位置を用いて、前記の要求された場所に対する可能性のある候補の数を減らすことが可能であるシステム。
【請求項５】
請求項１記載のシステムであって、前記ナビゲーション・デバイスが、前記車両の乗員に対して少なくとも一つのナビゲーション指示を提供可能であり、前記少なくとも一つのナビゲーション指示が、前記乗員を、選択された経路に沿って現在位置から目的地位置まで案内することが可能なシステム。
【請求項６】
請求項５記載のシステムであって、前記ナビゲーション・デバイスが、前記少なくとも一つのナビゲーション指示を、視覚表示ユニットを介して提供可能であるシステム。
【請求項７】
請求項５記載のシステムであって、
前記ナビゲーション・デバイスが、車両音響システム及び専用スピーカーのうちの少なくとも一つを介して、前記少なくとも一つのナビゲーション指示を提供可能であり、
前記少なくとも一つのナビゲーション指示が、前記乗員が前記少なくとも一つのナビゲーション指示に基づいて行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記の選択された経路のうちの少なくとも一つに基づいて、前記ナビゲーション・デバイスにより決定され得るシステム。
【請求項８】
請求項１記載のシステムであって、更に、
前記移動通信器と電気的に通信可能なスピーカーであって、前記音声ポータル・サーバから前記車両の乗員への入力要求に対応する音圧波を生成し得るスピーカーと、
前記移動通信器と電気的に通信可能なマイクロフォンであって、前記乗員から前記音声ポータル・サーバへの応答に対応する音圧波を感知可能なマイクロフォンと、
を備えるシステム。
【請求項９】
請求項８記載のシステムであって、更に、
前記移動通信器と電気的に接続可能なハンズ・フリー・キットであって、前記移動通信器に接続される場合に、前記移動通信器を前記スピーカー及び前記マイクロフォンのうちの少なくとも一つに接続するハンズ・フリー・キットを備えるシステム。
【請求項１０】
請求項８記載のシステムであって、前記スピーカーが、車両音響システムの一部であるシステム。
【請求項１１】
請求項１記載のシステムであって、前記ナビゲーション・デバイスが、ユーザーの位置を決定するためのＧＰＳ、ＤＧＰＳ、ＡＧＰＳ、三角測量法、時間遅延による双曲線交差法及びセル識別のうちの少なくとも一つを利用するシステム。
【請求項１２】
請求項１記載のシステムであって、前記移動通信器が携帯電話であるシステム。
【請求項１３】
請求項１２記載のシステムであって、前記音声ポータル・サーバが、前記基地局及び前記携帯電話を介して音声チャンネルで前記ナビゲーション・デバイスと通信可能であるシステム。
【請求項１４】
請求項１３記載のシステムであって、前記デコーダがＤＴＭＦデコーダであるシステム。
【請求項１５】
請求項１４記載のシステムであって、
前記車両の乗員が、前記携帯電話及び前記基地局を介して前記音声ポータル・サーバに要求された場所を伝達可能であり、
前記音声ポータル・サーバが、前記要求された場所を認識し、少なくとも一つの可能性のある目的地位置のセットを作成可能であるシステム。
【請求項１６】
請求項１５記載のシステムであって、
前記少なくとも一つの可能性の有る目的地位置が、少なくとも二つの可能性の有る目的地位置であり、
前記音声ポータル・サーバが、前記乗員に少なくとも一つの質問により入力を要求することが可能であり、
前記少なくとも一つの質問が、前記少なくとも二つの可能性の有る目的地位置のセットを一つの目的地位置に減らすよう設計され得るシステム。
【請求項１７】
請求項１６記載のシステムであって、前記音声ポータル・サーバが、前記目的地位置をＤＴＭＦエンコードされたフォーマットで、前記基地局及び前記携帯電話を介して前記デコーダに伝達し得るシステム。
【請求項１８】
請求項１７記載のシステムであって、前記デコーダが、前記目的地位置をデコードし、該目的地位置を前記ナビゲーション・システムに伝達することが可能であるシステム。
【請求項１９】
請求項１８記載のシステムであって、前記ナビゲーション・デバイスが、前記現在位置、前記目的地位置及び蓄積された可能性のある経路のセットのうちの少なくとも一つを用いて、選択された経路を計算し、該選択された経路を、視覚表示ユニット及び少なくとも一つの音声指示のうちの少なくともいずれかにより前記乗員に伝達することが可能であるシステム。
【請求項２０】
車両の乗員にナビゲーション情報を提供する方法であって、
移動通信器を設けるステップと、
前記移動通信器と電気的に通信するデコーダを設けるステップと、
前記デコーダと電気的に通信するナビゲーション・デバイスを設けるステップと、
前記移動通信器と無線通信する基地局を設けるステップと、
前記基地局と電気的に通信する音声ポータル・サーバを設けるステップと、
前記乗員が、前記基地局に対する前記移動通信器を介して、前記音声ポータル・サーバに要求された場所を伝達するステップと、
前記音声ポータル・サーバが、前記通信器に対する前記基地局を介して、前記デコーダにコード化された目的地位置を伝達するステップであって、前記コード化された目的地位置がエンコードされた目的地位置に対応するステップと、
前記デコーダが、前記目的地位置を決定するために、前記コード化された目的地位置をデコードするステップと、
前記デコーダが、前記ナビゲーション・デバイスに前記目的地位置を伝達するステップと、
を含むナビゲーション情報の提供方法。
【請求項２１】
請求項２０記載の方法であって、前記乗員による伝達する前記ステップが、更に、
前記乗員が前記音声ポータル・サーバに、前記の要求された場所への指示のセットを求めるステップと、
前記乗員が前記音声ポータル・サーバからの少なくとも一つの質問に応答するステップであって、前記少なくとも一つの質問が、少なくとも二つの目的地位置のセットを、前記要求された場所に対応する一つの目的地位置に減らすためのものであるステップと、
を含む方法。
【請求項２２】
請求項２０記載の方法であって、更に、
前記ナビゲーション・デバイスが前記デコーダに車両の現在位置を伝達するステップと、
前記デコーダが前記現在位置をエンコードし、エンコードされた現在位置を作成するステップと、
前記デコーダが、前記移動通信器及び前記基地局を介して、前記のエンコードされた現在位置を前記音声ポータル・サーバに伝達するステップと、
を含む方法。
【請求項２３】
請求項２０記載の方法であって、前記音声ポータル・サーバによる前記伝達するステップが、更に、
前記音声ポータル・サーバが、前記車両の現在位置を、前記ナビゲーション・デバイスの少なくとも一つから、前記デコーダ及び携帯電話ベースの位置決定システムを介して受け取るステップを含み、
前記音声ポータル・サーバが、前記車両の近接性に基づいて、前記少なくとも二つの可能性の有る目的地位置のうちのいずれかと前記現在位置との間の距離が所定の最大距離より大きいような任意の可能性のある目的地位置を取り除くことにより、少なくとも二つの可能性の有る目的地位置のセットを、前記少なくとも二つの可能性のある目的地位置に減らすことが可能である方法。
【請求項２４】
請求項２０記載の方法であって、更に、前記ナビゲーション・デバイスが、前記乗員に少なくとも一つのナビゲーション指示を提供することにより前記乗員を案内するステップを含み、前記少なくとも一つのナビゲーション指示が、選択された経路に沿って前記乗員を現在位置から前記目的地位置へと案内することが可能である方法。
【請求項２５】
請求項２４記載の方法であって、更に、前記少なくとも一つのナビゲーション指示を視覚表示ユニットを介して提供するステップを含む方法。
【請求項２６】
請求項２４記載の方法であって、更に、
車両音響システム及び専用スピーカーのうちの少なくとも一つを介して、前記少なくとも一つのナビゲーション指示を提供するステップを含み、
前記少なくとも一つのナビゲーション指示が、前記乗員が前記少なくとも一つのナビゲーション指示に従って行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記選択された経路に基づいて、前記ナビゲーション・デバイスにより決定されることが可能である方法。
【請求項２７】
車両ナビゲーション装置において、
車両に設置された移動通信器と、
車両に設置されたデコーダであって、前記移動通信器と通信するよう電気的に結合されたデコーダと、
前記車両に設置され、前記デコーダに電気的に結合された前記車両ナビゲーション・デバイスと、
を備える車両ナビゲーション装置。
【請求項２８】
請求項２７記載の装置であって、前記移動通信器が基地局と通信可能であり、該基地局が前記車両の外部にある音声ポータル・サーバと通信可能である装置。
【請求項２９】
請求項２７記載の装置であって、
音声ポータル・サーバが、前記ナビゲーション・デバイスに、要求された場所に対応する目的地位置を提供することが可能であり、
要求された場所が、前記車両の乗員により、前記移動通信器を介して前記音声ポータル・サーバに伝達されることが可能である装置。
【請求項３０】
請求項２９記載の装置であって、
前記ナビゲーション・デバイスが前記音声ポータル・サーバに現在位置を提供可能であり、
前記音声ポータル・サーバが前記現在位置を用いて前記の要求された場所に対する可能性のある候補の数を減らすことが可能である装置。
【請求項３１】
請求項２７記載の装置であって、
前記ナビゲーション・デバイスが前記車両の乗員に少なくとも一つのナビゲーション指示を提供可能であり、
前記少なくとも一つのナビゲーション指示が、前記乗員を現在位置から要求された場所へと選択された経路に沿って案内することが可能である装置。
【請求項３２】
請求項３１記載の装置であって、前記ナビゲーション・デバイスが、視覚表示ユニットを介して前記少なくとも一つのナビゲーション指示を提供可能である装置。
【請求項３３】
請求項３１記載の装置であって、
前記ナビゲーション・デバイスが、前記少なくとも一つのナビゲーション指示を、車両音響システム及び専用スピーカーのうちの少なくとも一つを介して提供可能であり、
前記少なくとも一つのナビゲーション指示が、前記乗員が前記少なくとも一つのナビゲーション指示に従って行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記の選択された経路のうちの少なくとも一つに基づいて、前記ナビゲーション・デバイスにより決定されることが可能である装置。
【請求項３４】
請求項２７記載の装置であって、更に、
前記移動通信器に電気的に結合されたスピーカーであって、前記音声ポータル・サーバから前記車両の乗員への入力要求に対応する音圧波を生成するスピーカーと、
前記移動通信器に電気的に結合されたマイクロフォンであって、前記乗員から前記音声ポータル・サーバへの応答に対応する音圧波を感知するマイクロフォンと、
を備える装置。
【請求項３５】
請求項３４記載の装置であって、更に、
前記移動通信器に電気的に接続可能なハンズ・フリー・キットであって、前記移動通信器に接続された場合に、前記移動通信器を前記スピーカー及び前記マイクロフォンのうちの少なくとも一つに接続するハンズ・フリー・キット
を備える装置。
【請求項３６】
請求項３４記載の装置であって、前記スピーカーが車両音響システムの一部である装置。
【請求項３７】
請求項２７記載の装置であって、前記ナビゲーション・デバイスが、ユーザの位置を決定するためのＧＰＳ、ＤＧＰＳ、ＡＧＰＳ、三角測量法、時間遅延による双曲線交差法及びセル識別のうちの少なくとも一つを利用することが可能である装置。
【請求項３８】
請求項２７記載の装置であって、前記移動通信器が携帯電話である装置。
【請求項３９】
請求項３８記載の装置であって、音声ポータル・サーバが、基地局及び前記携帯電話を介して、前記ナビゲーション・デバイスと音声チャンネルで通信可能である装置。
【請求項４０】
請求項３９記載の装置であって、前記デコーダがＤＴＭＦデコーダである装置。
【請求項４１】
請求項４０記載の装置であって、
前記車両の乗員が、要求された場所を、前記携帯電話及び前記基地局を介して前記音声ポータル・サーバに伝達可能であり、
前記音声ポータル・サーバが、前記要求された場所を認識し、少なくとも一つの可能性の有る目的地位置のセットを作成可能である装置。
【請求項４２】
請求項４１記載の装置であって、
前記少なくとも一つの可能性の有る目的地位置が、少なくとも二つの可能性の有る目的地位置であり、
前記音声ポータル・サーバが、少なくとも一つの質問により前記乗員に入力を要求することが可能であり、
前記少なくとも一つの質問が、前記少なくとも二つの可能性の有る目的地位置のセットを一つの目的地位置に減らすよう設計され得る装置。
【請求項４３】
請求項４２記載の装置であって、前記音声ポータル・サーバが、前記目的地位置をＤＴＭＦエンコードされたフォーマットで、前記基地局及び携帯電話を介して前記デコーダに伝達可能である装置。
【請求項４４】
請求項４３記載の装置であって、前記デコーダが、前記目的地位置をデコードし、該目的地位置を前記ナビゲーション・デバイスに伝達することが可能である装置。
【請求項４５】
請求項４４記載の装置であって、前記ナビゲーション・デバイスが、前記現在位置、前記目的地位置及び蓄積された可能性のある経路のセットのうちの少なくとも一つを用いて選択された経路を計算し、該選択された経路を視覚表示ユニット及び少なくとも一つの音声指示のうちの少なくともいずれかにより前記乗員に伝達することが可能である装置。
【発明の詳細な説明】
【技術分野】
【０００１】
本発明はナビゲーション・システムに関するものであり、より詳細には、目的地の識別を支援する音声ポータル・サーバを利用する車両のナビゲーション・システムに関する。
【背景技術】
【０００２】
人間用及び車両用のナビゲーション・システムが、急激に増加している。これらのナビゲーション・システムは、任意の数の可能な位置決定方法を利用し得る。ポータブル・ナビゲーション・システムの開発において特に重要なのは、ＧＰＳ（全地球位置把握システム）を用いてシステムのサイズ及びコストを縮小することである。ＧＰＳは、地球低軌道にある衛星を用いて地球上のユーザーの位置を決定する。ＤＧＰＳ（差分全地球位置把握システム）は、ＧＰＳ受信機により受信された擬似距離をＧＰＳ受信機付近の固定局を用いて修正することにより、ＧＰＳの位置解決方法を改良する方法である。ＡＧＰＳ（支援全地球位置把握システム）は、移動通信器をＧＰＳシステムに組み込み、当該通信器を用いて遠隔処理センターに位置決定計算の全部又は一部をアウトソースすることによって、移動ＧＰＳ受信機に組み込まれる処理能力を低減する方法である。ＡＧＰＳは、また、遠隔処理センターにおいてＡＧＰＳ受信機の擬似距離を修正することにより、ＤＧＰＳによって実現される改良された位置解決方法をより低いコストで組み込むことが可能である。携帯電話を用いる位置決定システムは、従来の三角測量法、セル識別、及び基地局又は専用の携帯電話位置決定局のいずれかにおける時間遅延による双曲線交差法の変形を利用し得る。上記システムのうちの任意のものを組合せることが可能である。
【０００３】
たいていのナビゲーション・デバイスは、位置決定システム（例えば、ＧＰＳ）により計算された現在位置に加えて、目的地や、場合によっては可能性の有る一群の経路（例えば、通り、主要道路、ハイウェイ）を必要とし得る。そのため、たいていのナビゲーション・デバイスは、目的地の入力を要求する。様々な状況において、様々なタイプのデータ入力装置が利用されてきた。入力装置の例としては、キーパッド入力、タッチスクリーン入力及び音声入力などがある。しかし、これらのタイプの入力装置はそれぞれ、個人用の移動ナビゲーション・デバイスとして実用されるには、何らかの欠点を有する。例えば、キーパッド・ユニットは時間がかかりすぎ、注意を散漫にするので、車両ナビゲーションには不適切である。運転者が情報入力を行うことが多く、運転者がナビゲーション・デバイスにアクセスしたいと思うときはたいてい車両の運転中だからである。タッチスクリーン入力もまた運転作業から注意を逸らすものであり、キーパッド入力より時間効率は良いかもしれないが、たいていの場合、単純なキーパッド入力システムより多くの処理能力及び高価な構成部品（例えば、タッチを感知するスクリーン）を必要とする。音声入力は、運転者の注意を運転作業から逸らすとしてもほとんど逸らさないという点で大きな利点を有する。しかし、この利点は、音声認識ソフトウェアが複雑且つ高価であり、実行に比較的多くの処理能力を必要とするという事実によって相殺される。
【発明の開示】
【発明が解決しようとする課題】
【０００４】
本発明の目的は、移動ナビゲーション・デバイスに音声認識システムを組み込むための追加のコストなしに、移動ナビゲーション・デバイスのための音声入力システムを実現するシステムを提供することである。
「発明の概要」
ユーザーをナビゲートするためのシステムが提供される。システムは、移動通信器、デコーダ、ナビゲーション・デバイス、基地局及び音声ポータル・サーバを備える。音声ポータル・サーバは、音声認識及び他の方法により、要求された目的地から目的地位置を遠隔で識別することを可能とし、識別された目的地位置を、例えば携帯電話の音声チャネルなどの移動通信器を介して移動ナビゲーション・デバイスに伝達する。それにより、移動ナビゲーション・デバイスは、運転者がナビゲーション・デバイスに目的地位置を入力するために運転から注意を逸らす必要なく、現在位置から目的地位置へのナビゲーションにおいて運転者を支援することが可能である。更に、本発明は、スタンド・アロンの音声認識システムに対応する実質的な処理能力をナビゲーション・デバイスに追加することなく、目的地住所の音声データ入力システムを実現する。
【０００５】
本発明は、また、車両の乗員が本発明のシステムを用いてナビゲーション情報を得る方法を提供する。当該方法により、乗員が移動通信器及び基地局を介して所望の場所を音声ポータル・サーバに伝達することが可能になる。音声ポータル・サーバは、次に、基地局及び移動通信器を介して、コード化された目的地位置をデコーダに伝達する。コード化された目的地位置は、エンコードされた目的地位置に対応し、デコーダによりデコードされて目的地位置が決定される。この目的地位置は、次に、ナビゲーション・デバイスに伝達される。
【０００６】
全て車両に設置された移動通信器、デコーダ及び車両ナビゲーション・デバイスを含む車両ナビゲーション装置が更に提供される。このナビゲーション装置は、携帯電話及び基地局を介して音声ポータル・サーバと通信する。音声ポータル・サーバは、要求された場所を受信し認識し、目的地位置を基地局及び移動通信器を介して装置に返信するよう、上記のシステムに対するのと同様の方法で動作する。
【発明を実施するための最良の形態】
【０００７】
図１において、本発明に係るシステムは、例えば携帯電話である移動通信器１０１、例えばＤＴＭＦ（二重トーン多周波（Dual Tone Multi-Frequency））デコーダであるデコーダ１０２、例えばＧＰＳを用いた受信機であるナビゲーション・デバイス１０３、及び音声ポータル・サーバ１０４を含む。音声ポータル・サーバ１０４は、基地局１１０と通信している車両１０６内の移動通信器１０１からアクセス可能である。音声ポータル・サーバ１０４は、インターネット１０５にアクセスして追加の情報を得ることが可能である。システムは、乗員が携帯電話を介して基地局１１０に、そしてそこから音声ポータル・サーバ１０４に対して、目的地位置を要求することを可能にする。システムは、音声ポータル・サーバ１０４に、音声認識アルゴリズムを実行させて要求された目的地位置に対する可能な候補のセットを生成させる。
【０００８】
システムは、更に、音声ポータル・サーバ１０４に、いくつかある可能な方法のうちの任意の方法を用いて、要求された目的地の数を一つの住所に減らさせる。候補の数を減らす一つの方法は、決定的な応答が登録されるまで、個々の可能性のある候補について乗員に対し音声による入力要求を行うことである。代わりに、システムは乗員に対して、可能性のある候補のセットのサブ・カテゴリーを区別するための質問により、入力を要求し得る。これらの質問は、可能性のある候補の数をより少ない候補のセットへとできる限り効率良く減らすために、又は可能であれば可能性のある一つの候補に絞るために、音声ポータル・サーバ１０４により立案され得る。第三の選択肢は、音声ポータル・サーバ１０４をして、移動ナビゲーション・デバイス１０３に車両１０６の現在位置の入力を要求させ、可能性のある候補を現在位置から所定の最大距離内にある目的地位置に限定させることである。この機能を無効にして、より長距離の運転をナビゲーション支援できるようにしてもよい。可能性のある目的地位置の候補を減らすためのこれらの３つの可能な方法を組み合わせることも可能である。
【０００９】
目的地位置を決定した後、音声ポータル・サーバ１０４は、移動通信器１０１を用いて、この情報を直接、移動ナビゲーション・デバイス１０３に伝達する。移動ナビゲーション・デバイス１０３は、音声ポータル・サーバ１０４から受信した目的地住所を用いて、データベース内の主要道路のセット、道路工事、交通状況、天候状況、及び運転者の好みを含む係数を含み得るアルゴリズムに基づいて、現在位置から目的地までの経路を計算し得る。
【００１０】
ナビゲーション・デバイス１０３は、乗員に対し、視覚表示ユニット、ヘッドアップ・ディスプレイ及び一連の音声指示を含むがそれらに限定されない幾つかの可能な方法のうちの任意の方法を用いて、現在位置から要求された目的地位置までのナビゲーション指示を提供し得る。音声指示が提供される場合、ナビゲーション・デバイス１０３は、現在位置から要求された目的地までの選択された経路に沿った一連の指示を提供し得る。個々の指示は、乗員がナビゲーション指示に基づいて行動することができるような時に、音声により配信される。
【００１１】
例としての実施の形態において、ナビゲーション・デバイス１０３は、スピーカー１０８を備える車両音響システム１０７又は専用スピーカーを介して、音声によりナビゲーション指示を提供する。ナビゲーション指示は、乗員がナビゲーション指示に基づいて行動する必要がある前に乗員に配信される。ナビゲーション指示の配信タイミングは、ナビゲーション・デバイス１０３により決定され、瞬間の位置測定値、瞬間の方位測定値、瞬間の速度測定値、要求された目的地位置及び選択された経路のうちの任意のものに基づき得る。
【００１２】
例としての実施の形態において、移動通信器１０１は、ハンズ・フリー・キット１０９を介してスピーカー１０８及びマイクロフォン（図示せず）に接続される。この実施の形態において、スピーカー１０８は車両音響システム１０７の一部であってもよく、又は専用スピーカーであってもよい。代替例としての実施の形態において、移動通信器１０１は、携帯電話、又は無線通信可能な任意の装置であり得る。音声ポータル・サーバ１０４はインターネット１０５に接続し、要求された場所、交通、天候又は任意の他の有益な情報に関する公的又は私的なデータベースからの情報にアクセスする。音声認識ソフトウェア及びハードウェアを車両１０６の外部の音声ポータル・サーバ１０４にアウトソースすることにより、音声入力システムを実現するためのコストが低減され、改良された音声認識システムがはるかに容易に実現され得る。要求された場所を音声ポータル・サーバ１０４により識別し、対応する目的地位置を移動通信器１０１及びデコーダ１０２を介して音声ポータル・サーバ１０４からナビゲーション・デバイス１０３に伝達するシステムにより、乗員が音声入力のみを用いて目的地位置をナビゲーション・デバイス１０３に入力することが可能になる。音声入力は、運転者の注意を運転作業から逸らせないことにより道路の安全性を増すという上記の利点を有する。ナビゲーション・デバイス１０３は、目的地位置、現在位置、主要道路／通りのデータベース、及び選択された経路を決定する経路選択アルゴリズムのうち任意のもの又は全てを利用し得る。ナビゲーション・デバイス１０３は、現在位置を決定し選択された経路に沿った進行を監視するために、任意の数の位置決定方法を利用し得る。これらの位置決定システムには、ユーザの位置を決定するためのＧＰＳ、ＤＧＰＳ、ＡＧＰＳ、三角測量法、時間遅延による双曲線交差法及びセル識別が含まれ得る。
【００１３】
ナビゲーション・システムは、例としての実施の形態においてはＤＴＭＦ（二重トーン多周波）デコーダであるデコーダ１０２を含む。ＤＴＭＦデコーダを用いることにより、デコーダ１０２と音声ポータル・サーバ１０４とが、携帯電話の通常の音声チャネルを介して通信することが可能になる。音声チャネルを使用することにより、本発明にかかるシステムを低コストで実現する方法が提供される。ＤＴＭＦコードは一般的でよく知られているため、実現コストはより低くなり、システムが柔軟になる。音声ポータル・サーバ１０４からデコーダ１０２へ、更には車両ナビゲーション・デバイス１０３への目的地位置の伝達は、オープンな音声チャネルを介して行われ、デコーダ１０２にジングル（jingle）又はプロンプト（prompt）を送信することを音声ポータル・サーバ１０４に求め得る。デコーダ１０２は、ジングル又はプロンプトを認識すると、音声ポータル・サーバ１０４から送信されるコード化信号の完全性を保つために乗員から入力される音声を消すことができる。更に、コード化信号が送信される際、音声ポータル・サーバ１０４から送信されるコード化信号の聞き取りから運転者の気を逸らさせないよう、運転者に対する音声出力が消され得る。消音操作が起こり、デコーダ１０２がコード化された目的地位置を受信する準備ができていることを知らせるために、準備完了を知らせるジングル又は準備完了のプロンプトが、デコーダ１０２から音声ポータル・サーバ１０４に送信され得る。デコーダ１０２から準備完了のジングル又は準備完了のプロンプトを受信すると、音声ポータル・サーバ１０４は、携帯電話の音声チャネルを介して、オンボードのデコーダ１０２にコード化された目的地位置を送信し得る。
【００１４】
同様の方法で、音声ポータル・サーバ１０４は、車両１０６の現在位置の受信準備完了或いは要求を示すジングル又はプロンプトにより、デコーダ１０２に対し入力を要求し得る。デコーダ１０２は、音声ポータル・サーバ１０４からのジングル又はプロンプトを認識すると、携帯電話の音声チャネルへの乗員の入力を消し、運転者へのスピーカー出力をも消して、コード化されたフォーマットで現在位置を送信し得る。音声ポータル・サーバ１０４は、オンボードの位置決定装置１０３により送信された現在位置を用いて、要求された場所に対する場所データベース内の可能性の有る候補を、車両１０６の現在位置から所定の最大距離内の場所に限定し得る。この処理により、送信された所望の場所から目的地位置を識別するプロセスを単純化し、目的地位置を一つに識別するために必要となる音声ポータル・サーバ１０４から乗員への質問手続の数を減らすことができる。音声ポータル・サーバ１０４の場所データベース内の可能性の有る候補を限定するために現在位置を利用することにより、ナビゲーション・システム１０３が選択された経路を識別するために必要な時間が低減される。その結果、できる限り早く、またできる限り注意を逸らさないようにユーザにナビゲーション指示を提供することで安全性が向上するだけではなく、オン・エア時間を低減することによりシステムのコストが下げられる。場所データベース内の候補を車両１０６の現在位置から所定の距離内にある場所に限定する機能は、運転者がより長いドライブにおいてナビゲーション支援を得るために使用不可能にし得るオプションの機能である。
【００１５】
図２は、本発明に係る方法をフローチャートで示す。車両の乗員から、所望の目的地住所への要求が発生する。乗員による要求が無ければ、当該方法は動作しない。乗員による要求が音声ポータルサーバに伝達されると、音声ポータル・サーバ１０４は、音声認識ソフトウェアを用いて、要求された目的地の住所を特定の目的地住所について識別しようとする。音声ポータル・サーバが要求された目的地住所の識別に失敗した場合、可能性のある候補の範囲を一つの候補に絞るための幾つかの方法が提供される。第一に、音声ポータル・サーバは乗員に対し、所望の場所の住所を繰り返すよう要求し得る。この方法は、乗員側の発音が不明瞭であること、無線信号が弱いこと、又は通信リンクにおける任意の他の一時的且つ回避可能な干渉により、元の通信が歪められている場合に特に有用である。第二に、音声ポータル・サーバは、可能性のある候補を車両の現在位置から所定の距離内にある場所に限定するために、オンボードのナビゲーション・システムに現在位置を要求し得る。第三に、音声ポータル・サーバは、乗員に対して、目的地位置に対する可能な候補の短いリストのそれぞれを肯定又は否定するような入力要求を行い得る。可能性の有る候補の組を一つの可能な候補へと減らす代替の方法は、上記の通りである。
【００１６】
音声ポータル・サーバが要求された場所を識別すると、音声ポータル・サーバは目的地住所をオンボード・コンピュータ又はナビゲーション・システムに伝達し得る。上記のように、この通信はＤＴＭＦコードで行われてもよく、又は、オンボード・コンピュータ又はナビゲーション・システムが利用可能な任意の他の形態で行われてもよい。読み取り可能なフォーマットで音声ポータル・サーバから目的地住所を受信した後、ナビゲーション・システムは、乗員を現在位置から目的地位置まで導く一連の指示を計算し伝達し得る。しかし、ナビゲーション・システムが音声ポータル・サーバから伝達された目的地位置を識別できない場合、オンボードのナビゲーション・システムは音声ポータル・サーバに目的地位置を再送するよう要求するか、又は、所定の回数の送信によってもオンボード・ナビゲーション・システムが読み取ることができる目的地位置が与えられない場合には、ナビゲーション・システムは乗員に、目的地位置を再び要求することにより処理を再開するよう要求し得る。代わりに、オンボード・コンピュータは、音声ポータル・サーバにより伝達された目的地位置がオンボード・ナビゲーション・システムにより読み取ることができない旨を音声ポータル・サーバに通知し、目的地位置を決定するために音声ポータル・サーバが要求された場所の再認識を始めるよう要求し得る。
【００１７】
本明細書において、幾つかの実施の形態を特に示し説明したが、本発明の修正又は変更は、上記の教示内容に含まれ、本発明の趣旨及び意図された範囲を逸脱することなく特許請求の範囲に含まれることが理解されるべきである。
【図面の簡単な説明】
【００１８】
【図１】図１は、本発明に係るナビゲーション・システムの第一の実施の形態の該略図である。
【図２】図２は、本発明のナビゲーション・システムの実施の形態に係る方法を示すフローチャートである。
【図２】
2005505760.tif 000003
【国際公開パンフレット】
2005505760.tif 000004
2005505760.tif 000005
2005505760.tif 000006
2005505760.tif 000007
2005505760.tif 000008
2005505760.tif 000009
2005505760.tif 000010
2005505760.tif 000011
2005505760.tif 000012
2005505760.tif 000013
2005505760.tif 000014
2005505760.tif 000015
2005505760.tif 000016
2005505760.tif 000017
2005505760.tif 000018
2005505760.tif 000019
2005505760.tif 000020
2005505760.tif 000021
2005505760.tif 000022
2005505760.tif 000023
【国際公開パンフレット（コレクトバージョン）】
2005505760.tif 000024
【国際公開パンフレット（コレクトバージョン）】
2005505760.tif 000025
【手続補正書】
【提出日】平成15年8月12日(2003.8.12)
【手続補正１】
【補正対象書類名】特許請求の範囲
【補正対象項目名】全文
【補正方法】変更
【補正の内容】
【特許請求の範囲】
【請求項１】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバと、
を備えるナビゲーション・システム。
【請求項２】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバであって、前記車両の外部にある音声ポータル・サーバと、
を備えるナビゲーション・システム。
【請求項３】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信し、前記ナビゲーション・デバイスに目的地位置を提供することが可能な音声ポータル・サーバであって、前記目的地位置が要求された場所に対応し、前記の要求された場所が、前記車両の乗員により前記移動通信器を介して前記音声ポータル・サーバに伝達され得る音声ポータル・サーバと、
を備えるナビゲーション・システム。
【請求項４】
請求項３記載のシステムであって、
前記ナビゲーション・デバイスが前記音声ポータル・サーバに現在位置を提供可能であり、
前記音声ポータル・サーバが前記現在位置を用いて、前記の要求された場所に対する可能性のある候補の数を減らすことが可能であるシステム。
【請求項５】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバと、
を備え、
前記ナビゲーション・デバイスが、前記車両の乗員に対して少なくとも一つのナビゲーション指示を提供可能であり、前記少なくとも一つのナビゲーション指示が、前記乗員を、選択された経路に沿って現在位置から目的地位置まで案内することが可能なナビゲーション・システム。
【請求項６】
請求項５記載のシステムであって、前記ナビゲーション・デバイスが、前記少なくとも一つのナビゲーション指示を、視覚表示ユニットを介して提供可能であるシステム。
【請求項７】
請求項５記載のシステムであって、
前記ナビゲーション・デバイスが、車両音響システム及び専用スピーカーのうちの少なくとも一つを介して、前記少なくとも一つのナビゲーション指示を提供可能であり、
前記少なくとも一つのナビゲーション指示が、前記乗員が前記少なくとも一つのナビゲーション指示に基づいて行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記の選択された経路のうちの少なくとも一つに基づいて、前記ナビゲーション・デバイスにより決定され得るシステム。
【請求項８】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバと、
前記移動通信器と電気的に通信可能なスピーカーであって、前記音声ポータル・サーバから前記車両の乗員への入力要求に対応する音圧波を生成し得るスピーカーと、
前記移動通信器と電気的に通信可能なマイクロフォンであって、前記乗員から前記音声ポータル・サーバへの応答に対応する音圧波を感知可能なマイクロフォンと、
を備えるナビゲーション・システム。
【請求項９】
請求項８記載のシステムであって、更に、
前記移動通信器と電気的に接続可能なハンズ・フリー・キットであって、前記移動通信器に接続される場合に、前記移動通信器を前記スピーカー及び前記マイクロフォンのうちの少なくとも一つに接続するハンズ・フリー・キットを備えるシステム。
【請求項１０】
請求項８記載のシステムであって、前記スピーカーが、車両音響システムの一部であるシステム。
【請求項１１】
請求項１記載のシステムであって、前記ナビゲーション・デバイスが、ユーザーの位置を決定するためのＧＰＳ、ＤＧＰＳ、ＡＧＰＳ、三角測量法、時間遅延による双曲線交差法及びセル識別のうちの少なくとも一つを利用するシステム。
【請求項１２】
請求項１記載のシステムであって、前記移動通信器が携帯電話であるシステム。
【請求項１３】
請求項１２記載のシステムであって、前記音声ポータル・サーバが、前記基地局及び前記携帯電話を介して前記ナビゲーション・デバイスと音声チャンネルで通信可能であるシステム。
【請求項１４】
ナビゲーション・システムであって、
車両に置かれた移動通信器と、
前記車両に置かれ、前記移動通信器と電気的に通信可能なデコーダと、
前記車両に置かれ、前記デコーダと電気的に通信可能な車両ナビゲーション・デバイスと、
前記移動通信器と無線通信可能な基地局と、
前記基地局と電気的に通信可能な音声ポータル・サーバと、
を備え、
前記移動通信器が携帯電話であり、
前記音声ポータル・サーバが、前記基地局及び前記携帯電話を介して前記ナビゲーション・デバイスと音声チャンネルで通信可能であり、
前記デコーダがＤＴＭＦデコーダであるナビゲーション・システム。
【請求項１５】
請求項１４記載のシステムであって、
前記車両の乗員が、前記携帯電話及び前記基地局を介して前記音声ポータル・サーバに要求された場所を伝達可能であり、
前記音声ポータル・サーバが、前記要求された場所を認識し、少なくとも一つの可能性のある目的地位置のセットを作成可能であるシステム。
【請求項１６】
請求項１５記載のシステムであって、
前記少なくとも一つの可能性の有る目的地位置が、少なくとも二つの可能性の有る目的地位置であり、
前記音声ポータル・サーバが、前記乗員に少なくとも一つの質問により入力を要求することが可能であり、
前記少なくとも一つの質問が、前記少なくとも二つの可能性の有る目的地位置のセットを一つの目的地位置に減らすよう設計され得るシステム。
【請求項１７】
請求項１６記載のシステムであって、前記音声ポータル・サーバが、前記目的地位置をＤＴＭＦエンコードされたフォーマットで、前記基地局及び前記携帯電話を介して前記デコーダに伝達し得るシステム。
【請求項１８】
請求項１７記載のシステムであって、前記デコーダが、前記目的地位置をデコードし、該目的地位置を前記ナビゲーション・システムに伝達することが可能であるシステム。
【請求項１９】
請求項１８記載のシステムであって、前記ナビゲーション・デバイスが、前記現在位置、前記目的地位置及び蓄積された可能性のある経路のセットのうちの少なくとも一つを用いて、選択された経路を計算し、該選択された経路を、視覚表示ユニット及び少なくとも一つの音声指示のうちの少なくともいずれかにより前記乗員に伝達することが可能であるシステム。
【請求項２０】
車両の乗員にナビゲーション情報を提供する方法であって、
移動通信器を設けるステップと、
前記移動通信器と電気的に通信するデコーダを設けるステップと、
前記デコーダと電気的に通信するナビゲーション・デバイスを設けるステップと、
前記移動通信器と無線通信する基地局を設けるステップと、
前記基地局と電気的に通信する音声ポータル・サーバを設けるステップと、
前記乗員が、前記基地局に対する前記移動通信器を介して、前記音声ポータル・サーバに要求された場所を伝達するステップと、
前記音声ポータル・サーバが、前記通信器に対する前記基地局を介して、前記デコーダにコード化された目的地位置を伝達するステップであって、前記コード化された目的地位置がエンコードされた目的地位置に対応するステップと、
前記デコーダが、前記目的地位置を決定するために、前記コード化された目的地位置をデコードするステップと、
前記デコーダが、前記ナビゲーション・デバイスに前記目的地位置を伝達するステップと、
を含むナビゲーション情報の提供方法。
【請求項２１】
請求項２０記載の方法であって、前記乗員による伝達する前記ステップが、更に、
前記乗員が前記音声ポータル・サーバに、前記の要求された場所への指示のセットを求めるステップと、
前記乗員が前記音声ポータル・サーバからの少なくとも一つの質問に応答するステップであって、前記少なくとも一つの質問が、少なくとも二つの目的地位置のセットを、前記要求された場所に対応する一つの目的地位置に減らすためのものであるステップと、
を含む方法。
【請求項２２】
請求項２０記載の方法であって、更に、
前記ナビゲーション・デバイスが前記デコーダに車両の現在位置を伝達するステップと、
前記デコーダが前記現在位置をエンコードし、エンコードされた現在位置を作成するステップと、
前記デコーダが、前記移動通信器及び前記基地局を介して、前記のエンコードされた現在位置を前記音声ポータル・サーバに伝達するステップと、
を含む方法。
【請求項２３】
請求項２０記載の方法であって、前記音声ポータル・サーバによる前記伝達するステップが、更に、
前記音声ポータル・サーバが、前記車両の現在位置を、前記ナビゲーション・デバイスの少なくとも一つから、前記デコーダ及び携帯電話ベースの位置決定システムを介して受け取るステップを含み、
前記音声ポータル・サーバが、前記車両の近接性に基づいて、前記少なくとも二つの可能性の有る目的地位置のうちのいずれかと前記現在位置との間の距離が所定の最大距離より大きいような任意の可能性のある目的地位置を取り除くことにより、少なくとも二つの可能性の有る目的地位置のセットを、前記少なくとも二つの可能性のある目的地位置に減らすことが可能である方法。
【請求項２４】
請求項２０記載の方法であって、更に、前記ナビゲーション・デバイスが、前記乗員に少なくとも一つのナビゲーション指示を提供することにより前記乗員を案内するステップを含み、前記少なくとも一つのナビゲーション指示が、選択された経路に沿って前記乗員を現在位置から前記目的地位置へと案内することが可能である方法。
【請求項２５】
請求項２４記載の方法であって、更に、前記少なくとも一つのナビゲーション指示を視覚表示ユニットを介して提供するステップを含む方法。
【請求項２６】
請求項２４記載の方法であって、更に、
車両音響システム及び専用スピーカーのうちの少なくとも一つを介して、前記少なくとも一つのナビゲーション指示を提供するステップを含み、
前記少なくとも一つのナビゲーション指示が、前記乗員が前記少なくとも一つのナビゲーション指示に従って行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記選択された経路に基づいて、前記ナビゲーション・デバイスにより決定されることが可能である方法。
【請求項２７】
車両ナビゲーション装置において、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
を備え、
前記移動通信器が基地局と通信可能であり、該基地局が音声ポータル・サーバと通信可能である車両ナビゲーション装置。
【請求項２８】
車両ナビゲーション装置であって、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
を備え、
前記移動通信器が基地局と通信可能であり、該基地局が前記車両の外部にある音声ポータル・サーバと通信可能である車両ナビゲーション装置。
【請求項２９】
車両ナビゲーション装置であって、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
を備え、
音声ポータル・サーバが、前記ナビゲーション・デバイスに、要求された場所に対応する目的地位置を提供することが可能であり、
要求された場所が、前記車両の乗員により、前記移動通信器を介して前記音声ポータル・サーバに伝達されることが可能である車両ナビゲーション装置。
【請求項３０】
請求項２９記載の装置であって、
前記ナビゲーション・デバイスが前記音声ポータル・サーバに現在位置を提供可能であり、
前記音声ポータル・サーバが前記現在位置を用いて前記の要求された場所に対する可能性のある候補の数を減らすことが可能である装置。
【請求項３１】
車両ナビゲーション装置において、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
を備え、
前記ナビゲーション・デバイスが前記車両の乗員に少なくとも一つのナビゲーション指示を提供可能であり、
前記少なくとも一つのナビゲーション指示が、前記乗員を現在位置から要求された場所へと選択された経路に沿って案内することが可能である車両ナビゲーション装置。
【請求項３２】
請求項３１記載の装置であって、前記ナビゲーション・デバイスが、視覚表示ユニットを介して前記少なくとも一つのナビゲーション指示を提供可能である装置。
【請求項３３】
請求項３１記載の装置であって、
前記ナビゲーション・デバイスが、前記少なくとも一つのナビゲーション指示を、車両音響システム及び専用スピーカーのうちの少なくとも一つを介して提供可能であり、
前記少なくとも一つのナビゲーション指示が、前記乗員が前記少なくとも一つのナビゲーション指示に従って行動する必要に先立つ時点において前記乗員に配信されることが可能であり、
前記少なくとも一つのナビゲーション指示の配信タイミングが、瞬間の位置測定値、瞬間の方位測定値、瞬間の速度測定値、前記目的地位置及び前記の選択された経路のうちの少なくとも一つに基づいて、前記ナビゲーション・デバイスにより決定されることが可能である装置。
【請求項３４】
車両ナビゲーション装置において、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
前記移動通信器に電気的に結合されたスピーカーであって、前記音声ポータル・サーバから前記車両の乗員への入力要求に対応する音圧波を生成するスピーカーと、
前記移動通信器に電気的に結合されたマイクロフォンであって、前記乗員から前記音声ポータル・サーバへの応答に対応する音圧波を感知するマイクロフォンと、
を備える車両ナビゲーション装置。
【請求項３５】
請求項３４記載の装置であって、更に、
前記移動通信器に電気的に接続可能なハンズ・フリー・キットであって、前記移動通信器に接続された場合に、前記移動通信器を前記スピーカー及び前記マイクロフォンのうちの少なくとも一つに接続するハンズ・フリー・キット
を備える装置。
【請求項３６】
請求項３４記載の装置であって、前記スピーカーが車両音響システムの一部である装置。
【請求項３７】
請求項２７記載の装置であって、前記ナビゲーション・デバイスが、ユーザの位置を決定するためのＧＰＳ、ＤＧＰＳ、ＡＧＰＳ、三角測量法、時間遅延による双曲線交差法及びセル識別のうちの少なくとも一つを利用することが可能である装置。
【請求項３８】
請求項２７記載の装置であって、前記移動通信器が携帯電話である装置。
【請求項３９】
車両ナビゲーション装置において、
車両に設置された移動通信器と、
車両に設置されたデコーダであって、前記移動通信器と通信するよう電気的に結合されたデコーダと、
前記車両に設置され、前記デコーダに電気的に結合された車両ナビゲーション・デバイスと、
を備え、音声ポータル・サーバが、基地局及び前記携帯電話を介して、前記ナビゲーション・デバイスと音声チャンネルで通信可能である車両ナビゲーション装置。
【請求項４０】
請求項３９記載の装置であって、前記デコーダがＤＴＭＦデコーダである装置。
【請求項４１】
請求項４０記載の装置であって、
前記車両の乗員が、要求された場所を、前記携帯電話及び前記基地局を介して前記音声ポータル・サーバに伝達可能であり、
前記音声ポータル・サーバが、前記要求された場所を認識し、少なくとも一つの可能性の有る目的地位置のセットを作成可能である装置。
【請求項４２】
請求項４１記載の装置であって、
前記少なくとも一つの可能性の有る目的地位置が、少なくとも二つの可能性の有る目的地位置であり、
前記音声ポータル・サーバが、少なくとも一つの質問により前記乗員に入力を要求することが可能であり、
前記少なくとも一つの質問が、前記少なくとも二つの可能性の有る目的地位置のセットを一つの目的地位置に減らすよう設計され得る装置。
【請求項４３】
請求項４２記載の装置であって、前記音声ポータル・サーバが、前記目的地位置をＤＴＭＦエンコードされたフォーマットで、前記基地局及び携帯電話を介して前記デコーダに伝達可能である装置。
【請求項４４】
請求項４３記載の装置であって、前記デコーダが、前記目的地位置をデコードし、該目的地位置を前記ナビゲーション・デバイスに伝達することが可能である装置。
【請求項４５】
請求項４４記載の装置であって、前記ナビゲーション・デバイスが、前記現在位置、前記目的地位置及び蓄積された可能性のある経路のセットのうちの少なくとも一つを用いて選択された経路を計算し、該選択された経路を視覚表示ユニット及び少なくとも一つの音声指示のうちの少なくともいずれかにより前記乗員に伝達することが可能である装置。
【国際調査報告】
2005505760.tif 000026
2005505760.tif 000027